(57)【要約】【課題】ユーザが画像送りをする際の操作性を向上させることを課題とする。【解決手段】Ｓ８０１〜Ｓ８０３では、所定の順番に並ぶ複数の画像のなかで所定の順番先に画像を切り替える所定の操作を受け付ける。Ｓ８０４〜Ｓ８１０では、表示部に組画像を構成する画像ではない単画像が表示されており、現在表示されている画像から所定の順番先まで単画像である場合には、所定の操作に応じて、所定の順番先の画像を取得し、表示部に組画像が表示されており、所定の順番先まで当該組画像である場合には、所定の操作に応じて、当該組画像に含まれる画像を表示せず、当該組画像より先の順番の画像を取得する処理を行う。Ｓ８１２、Ｓ８１３では、Ｓ８０４〜Ｓ８１０で取得した画像を表示部に表示する。【選択図】図８
2019053615.tif 000002
【特許請求の範囲】
【請求項１】
所定の順番に並ぶ複数の画像のいずれかを表示部に表示するように切り替える切り替え手段と、
前記切り替え手段が所定の順番先に画像を切り替える所定の操作を受け付け可能な受付手段と、
前記表示部に組画像を構成する画像ではない単画像が表示されており、現在表示されている画像から前記所定の順番先まで単画像である場合には、前記所定の操作に応じて、前記所定の順番先の画像を表示し、
前記表示部に組画像が表示されており、前記所定の順番先まで当該組画像である場合には、前記所定の操作に応じて、当該組画像に含まれる画像を表示せず、当該組画像より先の順番の画像を表示するように制御する制御手段と、
を有することを特徴とする電子機器。
【請求項２】
所定の順番に並ぶ複数の画像のいずれかを表示部に表示するように切り替える切り替え手段と、
前記切り替え手段が所定の順番先に画像を切り替える所定の操作を受け付け可能な受付手段と、
前記表示部に組画像を構成する画像ではない単画像が表示されており、現在表示されている画像から前記所定の順番先までの画像に組画像が含まれない場合には、前記所定の操作に応じて、前記所定の順番先の画像を表示し、
前記表示部に組画像の画像が表示されており、現在表示されている画像から前記所定の順番までの画像に異なる組画像が含まれない場合には、前記所定の操作に応じて、前記組画像の次の順番の画像を表示するように制御する制御手段と、
を有することを特徴する電子機器。
【請求項３】
前記制御手段は、表示中の画像から所定の順番より手前にあっても、組画像の最後の画像の次の順番の画像を表示するように制御することを特徴とする請求項２に記載の電子機器。
【請求項４】
所定の順番に並ぶ複数の画像のいずれかを表示部に表示するように切り替える切り替え手段と、
前記切り替え手段が所定の順番先に画像を切り替える所定の操作を受け付け可能な受付手段と、
前記表示部に組画像を構成する画像ではない単画像が表示されており、現在表示されている画像から前記所定の順番までの画像に組画像が含まれない場合には、前記所定の操作に応じて、前記所定の順番先の画像を表示し、
前記表示部に単画像が表示されており、現在表示されている画像から前記所定の順番までの画像に組画像が含まれる場合には、前記所定の操作に応じて、当該組画像に含まれる画像を表示するように制御する制御手段と、
を有することを特徴とする電子機器。
【請求項５】
前記制御手段は、
前記表示部に単画像が表示されており、現在表示されている画像から前記所定の順番先までの画像に組画像が含まれない場合には、前記所定の操作に応じて、前記所定の順番先の画像を表示し、
前記表示部に組画像の画像が表示されており、現在表示されている画像から前記所定の順番までの画像に異なる組画像が含まれない場合には、前記所定の操作に応じて、前記組画像の次の順番の画像を表示するように制御することを特徴とする請求項１に記載の電子機器。
【請求項６】
前記制御手段は、前記表示部に単画像が表示されており、現在表示されている画像から前記所定の順番までの画像に組画像が含まれない場合には、前記所定の操作に応じて、前記所定の順番先の画像を表示し、前記表示部に単画像が表示されており、現在表示されている画像から前記所定の順番までの画像に組画像が含まれる場合には、前記所定の操作に応じて、当該組画像に含まれる画像を表示するように制御することを特徴とする請求項１、２、５のいずれか１項に記載の電子機器。
【請求項７】
前記画像は、当該画像が他の画像と関連した組画像であることを示す属性情報と、当該画像が組画像ではない単画像であることを示す属性情報と、を含むことを特徴とする請求項１から６のいずれか１項に記載の電子機器。
【請求項８】
画像送り枚数を設定可能な設定手段をさらに有することを特徴とする請求項１から７のいずれか１項に記載の電子機器。
【請求項９】
前記受付手段は、１枚画像送りの操作を受け付けることを特徴とする請求項１から８のいずれか１項に記載の電子機器。
【請求項１０】
組画像に含まれる複数の画像のうち、前記所定の操作によって表示される画像の枚数よりも１枚画像送りの操作により表示される画像の枚数の方が多いことを特徴とする請求項９に記載の電子機器。
【請求項１１】
組画像のうち、前記所定の操作によって表示される画像は１枚、またはお気に入り画像のみであり、１枚画像送りの操作によって表示される画像は全てであることを特徴とする請求項１０に記載の電子機器。
【請求項１２】
前記１枚画像送りの操作は、ボタン操作であることを特徴とする請求項９から１１のいずれか１項に記載の電子機器。
【請求項１３】
前記所定の操作は、ダイヤルの回転操作であることを特徴とする請求項１から１２のいずれか１項に記載の電子機器。
【請求項１４】
前記組画像には、連写された画像、動画、インターバル撮影された画像が含まれることを特徴とする請求項１から１３のいずれか１項に記載の電子機器。
【請求項１５】
前記制御手段は、前記組画像のなかに、ユーザによりお気に入り設定された画像がある場合には、前記所定の操作がなされたとき、前記お気に入り設定された画像を、前記切り替え表示する画像にすることを特徴とする請求項１から１４のいずれか１項に記載の電子機器。
【請求項１６】
前記制御手段は、
前記組画像と前記単画像とが隣接して並んでおり、前記組画像に含まれる画像が前記表示部に表示されているときに前記所定の操作がなされた場合には、前記隣接している単画像を前記切り替えて表示する画像にし、
前記組画像と前記単画像とが隣接して並んでおり、前記単画像が前記表示部に表示されているときに前記所定の操作がなされた場合には、前記隣接している組画像の画像を前記切り替えて表示する画像にすることを特徴とする請求項１から１５のいずれか１項に記載の電子機器。
【請求項１７】
前記制御手段は、前記所定の操作がなされたときに、前記組画像に含まれる画像を表示する場合には、前記組画像の代表画像を、前記切り替えて表示する画像にすることを特徴とする請求項１から１６のいずれか１項に記載の電子機器。
【請求項１８】
前記組画像の代表画像は、組画像の先頭の画像、組画像の最後の画像、組画像のうちユーザに指定された画像の、少なくともいずれかであることを特徴とする請求項１７に記載の電子機器。
【請求項１９】
所定の順番に並ぶ複数の画像のいずれかを表示部に表示するように切り替える切り替え手段と、
前記切り替え手段が所定の順番先に画像を切り替える所定の操作を受け付け可能な受付手段と、
現在表示されている画像から前記所定の順番先の画像が、組画像を構成する画像ではない単画像である場合には、前記所定の操作に応じて、前記所定の順番先の画像を表示し、
現在表示されている画像から前記所定の順番先の画像が、組画像である場合には、前記所定の操作に応じて、当該組画像に含まれる画像のうち、前記所定の順番よりも前にある画像を表示するように制御する制御手段と、
を有することを特徴とする電子機器。
【請求項２０】
所定の順番に並ぶ複数の画像のいずれかを表示部に表示するように切り替える切り替え工程と、
前記切り替え工程で所定の順番先に画像を切り替える所定の操作を受け付け可能な受付工程と、
前記表示部に組画像を構成する画像ではない単画像が表示されており、現在表示されている画像から前記所定の順番先まで単画像である場合には、前記所定の操作に応じて、前記所定の順番先の画像を表示し、
前記表示部に組画像が表示されており、前記所定の順番先まで当該組画像である場合には、前記所定の操作に応じて、当該組画像に含まれる画像を表示せず、当該組画像より先の順番の画像を表示するように制御する制御工程と、
を有することを特徴とする電子機器の制御方法。
【請求項２１】
所定の順番に並ぶ複数の画像のいずれかを表示部に表示するように切り替える切り替え工程と、
前記切り替え工程で所定の順番先に画像を切り替える所定の操作を受け付け可能な受付手段と、
前記表示部に組画像を構成する画像ではない単画像が表示されており、現在表示されている画像から前記所定の順番先までの画像に組画像が含まれない場合には、前記所定の操作に応じて、前記所定の順番先の画像を表示し、
前記表示部に組画像の画像が表示されており、現在表示されている画像から前記所定の順番までの画像に異なる組画像が含まれない場合には、前記所定の操作に応じて、前記組画像の次の順番の画像を表示するように制御する制御工程と、
を有することを特徴する電子機器の制御方法。
【請求項２２】
所定の順番に並ぶ複数の画像のいずれかを表示部に表示するように切り替える切り替え工程と、
前記切り替え工程で所定の順番先に画像を切り替える所定の操作を受け付け可能な受付工程と、
前記表示部に組画像を構成する画像ではない単画像が表示されており、現在表示されている画像から前記所定の順番までの画像に組画像が含まれない場合には、前記所定の操作に応じて、前記所定の順番先の画像を表示し、
前記表示部に単画像が表示されており、現在表示されている画像から前記所定の順番までの画像に組画像が含まれる場合には、前記所定の操作に応じて、当該組画像に含まれる画像を表示するように制御する制御工程と、
を有することを特徴とする電子機器の制御方法。
【請求項２３】
所定の順番に並ぶ複数の画像のいずれかを表示部に表示するように切り替える切り替え工程と、
前記切り替え工程で所定の順番先に画像を切り替える所定の操作を受け付け可能な受付手段と、
現在表示されている画像から前記所定の順番先の画像が、組画像を構成する画像ではない単画像である場合には、前記所定の操作に応じて、前記所定の順番先の画像を表示し、
現在表示されている画像から前記所定の順番先の画像が、組画像である場合には、前記所定の操作に応じて、当該組画像に含まれる画像のうち、前記所定の順番よりも前にある画像を表示するように制御する制御工程と、
を有することを特徴とする電子機器の制御方法。
【請求項２４】
コンピュータを、請求項１から１９のいずれか１項に記載された電子機器の各手段として機能させるためのプログラム。
【請求項２５】
コンピュータを、請求項１から１９のいずれか１項に記載された電子機器の各手段として機能させるためのプログラムを格納したコンピュータが読み取り可能な記憶媒体。
【発明の詳細な説明】
【技術分野】
【０００１】
本発明は、表示する画像を切り替える制御が可能な電子機器及びその方法に関する。
【背景技術】
【０００２】
連写などの複数の画像からなる組画像の表示方法として、組画像のうちいずれか１枚を代表画像として表示する方法がある。特許文献１には、画像送りキー連続押しなどの操作によって画像早送りの指示がされると、連写や画像合成に用いるような複数の画像からなる一連の画像（組画像）のうち代表画像を表示することが開示されている。
また、画像送り指示に応じて、ユーザの設定に基づいた枚数分画像送りをする方法がある。特許文献２には、画像ジャンプメニューとして日付ジャンプ、１０枚ジャンプ、１００枚ジャンプを設定可能であることが開示されている。特許文献２では、日付ジャンプの場合にはボタンの押下に応じて各日付の画像が１枚ずつ表示され、枚数ジャンプの場合にはボタンの押下に応じて指定された枚数分、画像をとばして表示する画像を切り替えていくことが開示されている。
【先行技術文献】
【特許文献】
【０００３】
【特許文献１】特開２００７−２２１７６９号公報
【特許文献２】特開２０１０−２８８２６９号公報
【発明の概要】
【発明が解決しようとする課題】
【０００４】
複数の画像からユーザが所望の画像を見つけるために画像送りをする場合がある。特許文献１では、連写や合成画像などの一連の画像に含まれない画像の場合には、所望の画像が表示されるまで１枚１枚表示する画像を切り替えなければならない。特許文献２の枚数ジャンプにおいて、連写画像等の組画像が含まれていると、ジャンプ枚数に対して一連の画像の枚数が少ない場合には組画像が表示されない可能性がある。また、ジャンプ枚数に対して組画像の枚数が多い場合には組画像が何枚も表示される可能性がある。
【０００５】
そこで、本発明は、ユーザが画像送りをする際の操作性を向上させることを目的とする。
【課題を解決するための手段】
【０００６】
本発明は、所定の順番に並ぶ複数の画像のいずれかを表示部に表示するように切り替える切り替え手段と、前記切り替え手段が所定の順番先に画像を切り替える所定の操作を受け付け可能な受付手段と、前記表示部に組画像を構成する画像ではない単画像が表示されており、現在表示されている画像から前記所定の順番先まで単画像である場合には、前記所定の操作に応じて、前記所定の順番先の画像を表示し、前記表示部に組画像が表示されており、前記所定の順番先まで当該組画像である場合には、所定の操作に応じて、当該組画像に含まれる画像を表示せず、当該組画像より先の順番の画像を表示するように制御する制御手段と、を有することを特徴とする。
【発明の効果】
【０００７】
本発明によれば、ユーザが画像送りをする際の操作性を向上させることができる。
【図面の簡単な説明】
【０００８】
【図１】本実施形態に係る一例としてのデジタルカメラの外観図である。
【図２】本実施形態のデジタルカメラの概略構成を示すブロック図である。
【図３】画像再生モードの動作を説明するフローチャートである。
【図４】１枚画像送り動作のフローチャートである。
【図５】属性情報に基づくジャンプ画像送り動作の一例を説明する図である。
【図６】属性情報に基づくジャンプ画像送り動作の他の例を説明する図である。
【図７】お気に入り情報に基づくジャンプ画像送り動作の一例を説明する図である。
【図８】ジャンプ画像送り動作のフローチャートである。
【図９】画像送り枚数設定動作のフローチャートである。
【発明を実施するための形態】
【０００９】
以下、添付の図面を参照して本発明の好適な実施形態について説明する。本実施形態では、本発明に係る電子機器の一適用例としての撮像装置（デジタルカメラ１００）を例に挙げる。本実施形態のデジタルカメラは、静止画像や動画を撮影して記録可能となされ、撮影した各画像には後述する属性情報を付与する機能を備えている。
＜デジタルカメラの構成＞
図１は、デジタルカメラ１００の概略的な外観構成を示す図である。
【００１０】
表示部１２８は、画像や各種情報を表示するモニタである。シャッターボタン１６１はユーザが撮影指示を行うための操作部である。モード切替スイッチ１６０は、ユーザが各種モードの切り替え指示を行うためのスイッチ操作部である。電源スイッチ１７２は、ユーザの操作に応じて、電源オン、電源オフが切り替えられるスイッチである。操作部群１７０は、ユーザからの設定操作やその他の各種操作を受付可能な各種ボタン、ダイヤル等の各操作子よりなる。操作部群１７０には、コントローラホイール１７３、サブ電子ダイヤル１７４、メニューキー１７８、再生ボタン１７５、動画ボタン等も含まれる。コントローラホイール１７３とサブ電子ダイヤル１７４は、それぞれ回転可能な円形操作部材である。コントローラホイール１７３の回転可能な部材の内側には、４方向ボタン１７６とセットボタン１７７とが配されている。４方向ボタン１７６は上キー及び下キー（上下キーとも呼ぶ）、左キー１７６ｂ及び右キー１７６ａ（左右キーとも呼ぶ）からなる。コネクタ１１２は、データ通信用等の接続ケーブル１１１が接続されるインターフェース部である。記録媒体１９０は、メモリカードやハードディスク等の記録媒体である。記録媒体スロット１８１は、記録媒体１９０を格納する着脱可能なスロットであり、開閉可能な蓋１８２が備えられている。記録媒体スロット１８１に格納された記録媒体１９０は、デジタルカメラ１００との通信が可能となる。
【００１１】
＜デジタルカメラの内部構成＞
図２は、本実施形態のデジタルカメラ１００（図１のデジタルカメラ１００）の概略的な内部構成を示すブロック図である。図２において、撮影レンズ２０３は、ズームレンズ、フォーカスレンズを含むレンズ群であり、撮像部２２２の撮像面上に被写体像等を結像させる。シャッター２０１は絞り機能を備えるシャッターである。撮像部２２２は、撮影レンズ２０３により撮像面上に結像された光学像を電気信号に変換するＣＣＤやＣＭＯＳ等で構成される撮像素子である。Ａ／Ｄ変換器２２３は、撮像部２２２から出力されるアナログ撮像信号をデジタル画像データに変換する。
【００１２】
画像処理部２２４は、Ａ／Ｄ変換器２２３からの画像データ、又は、後述するメモリ制御部２１５によりメモリ２３２から読み出された画像データに対し、画素補間、画像縮小等のリサイズ処理、色変換処理、ガンマ補正、輪郭補正等の各種信号処理を行う。また、画像処理部２２４は、撮像された画像データを用いて所定の演算処理を行い、その演算結果の情報をシステム制御部２５０に送信する。システム制御部２５０は、画像処理部２２４から送信されてきた演算結果の情報に基づいて、露出制御、測距制御等を行う。これにより、いわゆるＴＴＬ（スルー・ザ・レンズ）方式のＡＦ（オートフォーカス）処理、ＡＥ（自動露出）処理、ＥＦ（フラッシュプリ発光）処理等が行われる。画像処理部２２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２２３から出力された画像データは、画像処理部２２４及びメモリ制御部２１５を介して、或いは、メモリ制御部２１５を介して、メモリ２３２に直接書き込まれる。メモリ２３２は、撮像部２２２により撮像されてＡ／Ｄ変換器２２３によりデジタル変換された画像データや、表示部１２８に表示するための画像データを格納する。メモリ２３２は、多くの枚数の静止画像や、長時間の動画像データおよび音声データを格納するのに十分な記憶容量を備えている。また、メモリ２３２は、画像表示用のメモリ（ビデオメモリ）を兼ねている。
【００１４】
Ｄ／Ａ変換器２１３は、メモリ２３２から読み出された表示用のデジタル画像データをアナログ画像信号に変換して表示部１２８に供給する。これにより、メモリ２３２から読み出された表示用の画像が表示部１２８の画面上に表示される。表示部１２８は、液晶ディスプレイ（ＬＣＤ）等の表示画面上に、Ｄ／Ａ変換器２１３からのアナログ画像信号に基づく画像を表示する。またＡ／Ｄ変換器２２３でＡ／Ｄ変換されてメモリ２３２に一時的に蓄積された画像データがＤ／Ａ変換器２１３でアナログ変換されて表示部１２８に逐次転送された場合、表示部１２８は、いわゆる電子ビューファインダとして機能することになる。すなわち、この場合の表示部１２８には、ライブビュー画像（スルー画像）が表示される。
【００１５】
不揮発性メモリ２５６は、電気的に消去・記録可能なメモリであり、例えばＥＥＰＲＯＭが用いられる。不揮発性メモリ２５６には、システム制御部２５０の動作用の定数、プログラム等が記憶されている。ここでいうプログラムには、本実施形態において後述する各フローチャートをシステム制御部２５０等が実行するためのプログラムも含まれている。
【００１６】
システム制御部２５０は、デジタルカメラ１００の全体を制御する。本実施形態における後述する各処理は、システム制御部２５０が不揮発性メモリ２５６に格納された本実施形態に係るプログラムを実行することにより実現される。システムメモリ２５２は、ＲＡＭ等である。システムメモリ２５２には、システム制御部２５０の動作用の定数、変数、不揮発性メモリ２５６から読み出したプログラム等が展開される。また、システム制御部２５０は、メモリ２３２、Ｄ／Ａ変換器２１３、表示部１２８等を制御することにより表示制御も行う。
【００１７】
モード切替スイッチ１６０、シャッターボタン１６１、操作部群１７０は、システム制御部２５０に対して各種動作指示をユーザが入力する際に使用される。モード切替スイッチ１６０は、ユーザが、デジタルカメラ１００の動作モードを、静止画撮影モード、動画撮影モード、再生モード等の何れかに切り替える際に使用される。静止画撮影モードには、更に、オート撮影モード、オートシーン判別モード、マニュアルモード、撮影シーン別の撮影設定のための各種シーンモード、プログラムＡＥモード、カスタムモード等が含まれている。これらモードの何れを用いるかは、例えば図１のメニューキー１７８の操作で表示部１２８にメニュー項目を表示させた上でユーザにより設定される場合だけでなく、モード切替スイッチ１６０の操作を介して直接切り替え設定可能となされている。或いは、モード切替スイッチ１６０からメニューキー１７８に一旦切り替えた後に、他の操作子等を用いて、それらモードの何れを用いるかを切り替えるようにしてもよい。また同様に、動画撮影モードにも複数のモードが含まれていてもよい。
【００１８】
第１シャッタースイッチ２６２は、デジタルカメラ１００に設けられたシャッターボタン１６１が押下操作途中の状態、つまりいわゆる半押し（撮影準備指示）状態になった時にオン（ＯＮ）となって第１シャッタースイッチ信号ＳＷ１を発生する。システム制御部２５０は、第１シャッタースイッチ信号ＳＷ１が供給されると、ＡＦ（オートフォーカス）処理、ＡＥ（自動露出）処理、ＡＷＢ（オートホワイトバランス）処理、ＥＦ（フラッシュプリ発光）処理等の動作を開始する。
第２シャッタースイッチ２６４は、シャッターボタン１６１が押下操作完了の状態、つまりいわゆる全押し（撮影指示）状態になった時にオン（ＯＮ）となって第２シャッタースイッチ信号ＳＷ２を発生する。システム制御部２５０は、第２シャッタースイッチ信号ＳＷ２が供給されると、撮像部２２２による信号読み出しから、記録媒体１９０に画像データを書き込むまでの、一連の撮影処理の動作を開始する。
【００１９】
操作部群１７０の各ボタン等は、表示部１２８に表示される種々の機能アイコンがユーザにより選択操作されることなどにより、場面ごとに適宜機能が割り当てられ、各種機能ボタンとして使用可能となされる。機能ボタンとしては、例えば、終了ボタン、戻るボタン、画像送りボタン、ジャンプボタン、絞込みボタン、属性変更ボタン等がある。メニューキー１７８が押されると各種の設定可能なメニュー画面が表示部１２８に表示され、ユーザは、表示部１２８に表示されたメニュー画面と４方向／セットボタンとを用いて、直感的にそれら機能ボタンの設定等の各種設定を行うことができる。
【００２０】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２５０の指示に基づいてＤＣ−ＤＣコンバータを制御し、必要な電圧を必要な期間、記録媒体１９０を含む各部へ供給する。
【００２１】
電源部２３０は、アルカリ電池やリチウム電池等の一次電池やＮｉＣｄ電池やＮｉＭＨ電池、Ｌｉ電池等の二次電池、ＡＣアダプターの接続部等からなる。記録媒体Ｉ／Ｆ２１８は、メモリカードやハードディスク等の記録媒体１９０とのインターフェースである。記録媒体１９０は、撮影された画像を記録するためのメモリカード等の記録媒体であり、半導体メモリや磁気ディスク等から構成される。
【００２２】
通信部２５４は、無線または有線ケーブルによって外部機器と接続し、画像信号や音声信号の送受信を行う。通信部２５４は無線ＬＡＮ（Local Area Network）やインターネットとも接続可能である。通信部２５４は撮像部２２２で撮像された画像（スルー画像を含む）や、記録媒体１９０に記録された画像を送信可能であり、また、外部機器から画像データやその他の各種情報を受信することができる。
【００２３】
＜画像再生モードの動作＞
図３は、本実施形態のデジタルカメラ１００が、表示部１２８の画面上に画像を表示する再生処理を説明するためのフローチャートである。このフローチャートにおける各処理は、システム制御部２５０が不揮発性メモリ２５６等に格納されたプログラムをシステムメモリ２５２に展開して実行することにより実現される。以下の説明では、図３のフローチャートの各ステップＳ３０１〜ステップＳ３１２をＳ３０１〜Ｓ３１２と略記する。このことは後述する他のフローチャートにおいても同様とする。
【００２４】
システム制御部２５０は、電源スイッチ１７２が操作され電源がオンに切り替わると、Ｓ３０１において、フラグや制御変数等を初期化する。続いて、システム制御部２５０は、Ｓ３０２において、記録媒体１９０に記録されているファイルに関する管理処理を開始し、さらにＳ３０３において、カレントの画像を表示部１２８へ表示させる。
【００２５】
次に、システム制御部２５０は、Ｓ３０４において操作部群１７０の４方向ボタン１７６の左右キー操作（右キー１７６ａまたは左キー１７６ｂ）がされたか否かを判定する。システム制御部２５０は、Ｓ３０４において左右キーが操作されたと判定した場合にはＳ３０７へ処理を進め、Ｓ３０７において１枚画像送りに関する制御を行う。Ｓ３０４において右キー１７６ａまたは左キー１７６ｂへの操作がされなかったと判定された場合、システム制御部２５０は、Ｓ３０５へ進む。なお、Ｓ３０７における１枚画像送りの処理については後に図４のフローチャートを用いて詳細に説明する。
【００２６】
Ｓ３０５に進むと、システム制御部２５０は、操作部群１７０のコントローラホイール１７３が操作されたか否かを判定し、操作されたと判定した場合にはＳ３０６へ処理を進め、一方、操作されていないと判定した場合にはＳ３０９へ処理を進める。
【００２７】
Ｓ３０６に進むと、システム制御部２５０は、システムメモリ２５２に記憶されているコントローラホイール１７３の回転による画像送りの設定を参照し、画像送りの設定が１枚画像送り設定であれば、Ｓ３０７へ処理を進めて１枚画像送りに関する制御を行う。このように、１枚画像送りは、左右キー押下のボタン操作により行われる場合と、１枚画像送り設定においてコントローラホイール１７３の回転により行われる場合とがある。
【００２８】
Ｓ３０６において、画像送りの設定が１枚画像送り設定でないと判定した場合、つまりジャンプ画像送り設定になっている場合、システム制御部２５０は、Ｓ３０８へ処理を進めてジャンプ画像送りに関する制御を行う。そして、システム制御部２５０は、Ｓ３０８によりジャンプ画像送りがなされた後にはＳ３０４へ処理を戻す。なお、Ｓ３０８におけるジャンプ画像送りの処理については後に図８のフローチャートを用いて詳細に説明する。このように、ジャンプ画像送りは、ジャンプ画像送り設定においてコントローラホイール１７３の回転により行われる。ジャンプ画像送りは、タッチパネルへの長押し、ダイヤル回転操作、特定のボタンの押下によって行えるようにしてもよい。
【００２９】
Ｓ３０９に進んだ場合、システム制御部２５０は、メニューキー１７８の操作がされたか否かを判定する。そして、システム制御部２５０は、メニューキー１７８の操作がなされたと判定した場合にはＳ３１０へ処理を進めてメニュー設定に関する制御を行う。なお、Ｓ３１０におけるメニュー設定処理については後に図９のフローチャートを用いて詳細に説明する。一方、Ｓ３０９においてメニューキー１７８の操作がなされていないと判定した場合、システム制御部２５０は、Ｓ３１１へ処理を進める。
【００３０】
Ｓ３１１に進むと、システム制御部２５０は、電源スイッチ１７２がオフ（ＯＦＦ）操作されたか否かを判定する。システム制御部２５０は、オフ操作されたと判定した場合にはＳ３１２へ処理を進めて、表示部１２８の表示を終了状態に変更する処理、ユーザの撮影モードや表示に関する設定を不揮発性メモリ２５６に記録する等の終了処理を行う。そして、システム制御部２５０は、終了処理が完了すると、図３のフローチャートの処理を終了して、電源をオフ状態へ移行させる。一方、Ｓ３１１において、電源スイッチ１７２がオフ操作されていないと判定した場合、システム制御部２５０は、Ｓ３０４へ処理を戻す。
【００３１】
以上説明したように、再生処理において４方向ボタン１７６の左右キー操作がなされた場合には、その左右キー操作に応じて１枚画像送りを行う。また、画像送りの設定がジャンプ画像送り設定である場合にはコントローラホイール１７３の回転操作に応じてジャンプ画像送りを行う。
【００３２】
＜１枚画像送り動作の説明＞
図４は、再生処理における１枚画像送り動作を説明するフローチャートであり、図３のＳ３０７の詳細な処理を示している。
システム制御部２５０は、Ｓ４０１において、図３のＳ３０４において指示された画像送りの送り方向が正方向か否かを判定する。Ｓ４０１においては、Ｓ３０４における操作が右キー１７６ａであったと判定された場合には、Ｓ４０３へ進み、そうでない場合、すなわち左キー１７６ｂの操作がされたと判定された場合は、Ｓ４０２へ進む。このように、システム制御部２５０は、左キー１７６ｂまたは右キー１７６ａの操作によって、表示部１２８に表示する画像を前後の順番の画像へと切り替えることができる。ここでは、例えば各画像に付与されたファイル番号の昇順に表示画像を切り替える送り方向を正方向とし、逆に降順に表示画像を切り替える送り方向を逆方向とする。なおファイル番号に基づく画像送り方向は一例であり、他にも例えば記録日時順や画像ファイルに名前が付けられている場合の名前順（アルファベット順や仮名の５０音順）に基づく方向であってもよい。
【００３３】
Ｓ４０２に進んだ場合、システム制御部２５０は、カレント画像Ｎを更新（カレント画像Ｎ＝Ｎ−１に更新）し、システムメモリ２５２に記録する。
Ｓ４０３に進んだ場合、システム制御部２５０は、カレント画像Ｎを更新（カレント画像Ｎ＝Ｎ＋１に更新）し、システムメモリ２５２に記録する。なお、Ｓ４０２、Ｓ４０３においては、更新され前のカレント画像Ｎが既に全画像の一方の端の順番の画像であった場合には、他方の端の順番の画像へと切り替えるようにしてもよい。つまり、カレント画像が表示順序で１番目の画像である場合に、左キー１７６ｂが操作されたら、表示順序で最後の順番の画像を表示するようにカレント画像を更新してもよい。
そして、次のＳ４０４において、システム制御部２５０は、Ｓ４０２、Ｓ４０３で更新されたカレント画像を表示部１２８に表示させる。このＳ４０４の処理後、システム制御部２５０は、図４のフローチャートの処理を終えて、図３のＳ３０４へ処理を戻す。
【００３４】
＜ジャンプ画像送り動作の説明＞
次に、再生処理について詳細に説明する。
デジタルカメラ１００は、ジャンプ画像送りを行う場合、現在表示している表示画像（カレント画像）と所定の順番先（ジャンプ画像送りのジャンプ先）の画像の属性情報を基に、ジャンプ画像送りの動作を制御する。つまり、ジャンプ画像送りのジャンプ先が、組画像に含まれない、組画像を構成しない画像（単画像とする。）や動画であるか、或いは組画像であるかに基づき、ジャンプ画像送りの動作を制御する。
【００３５】
ここで、組画像とは、例えば連写等の連続撮影やインターバル撮影等の一連の撮影において記録された、それぞれの画像が関連付いている複数枚からなるグループ画像である。組画像は１回の撮影指示を基に撮影された画像または連続的に撮影された関連性の高い画像であるため、各画像内に写っている被写体は変わらない（同じ被写体が写っている）ことが多い。組画像としては、例えば、ドライブ設定の連写モードで撮影された連写画像、クリエイティブショットモードによる自動連写設定で撮影された画像、インターバル撮影モードで撮影された画像等を挙げることができる。なお、クリエイティブショットモードとは、連写により複数の画像を撮影するとともに、被写体や撮影シーン等を判別した判別結果に基づいて撮影画像にトリミングや異なる画像効果を施した複数枚の加工画像を自動的に生成するモードである。クリエイティブショットモードでは、それら複数枚の加工画像に通常の撮影画像を加えた複数枚の画像が記録される。インターバル撮影モードとは、撮影間隔と撮影枚数が任意に設定され、その設定された撮影間隔と撮影枚数だけ自動的に撮影を行うモードである。インターバル動画として撮影された動画において素材として残す設定がなされた画像も組画像に含まれる。
【００３６】
図８は、本実施形態におけるジャンプ画像送りの処理を示すフローチャートであり、前述の図３のＳ３０８の詳細な処理を示している。この処理は、不揮発性メモリ２５６に記録されたプログラムをシステムメモリ２５２に展開してシステム制御部２５０が実行することで実現する。なお、この処理は、デジタルカメラ１００に電源が入り、再生モードが開始されると開始する。
図５〜図７は、記録媒体１９０内に記録されている各画像と、それら各画像にそれぞれ付与されている属性情報の一例を示した図である。属性情報には、少なくとも、ファイル番号、組画像フラグ、代表画像情報が含まれている。
【００３７】
図５〜図７において、ファイル番号は、ＩＭＧ＿ｎｎｎｎ．ＪＰＧとして示されている。ファイル番号のＩＭＧ＿ｎｎｎｎ．ＪＰＧは、記録媒体１９０内に記録されている各画像にそれぞれ付与される番号を表しており、ｎｎｎｎには記録順などの番号が記述される。各ファイル番号に付けられている拡張子は、画像のファイルフォーマットを表し、図５〜図７の場合はＪＰＥＧファイルであることを示す拡張子（．ＪＰＧ）が記述された例が示されている。なお、ファイルフォーマットは一例であり、他のファイルフォーマットの場合には、各ファイル番号の拡張子はそのファイルフォーマットに応じた拡張子となされる。
【００３８】
また、図５〜図７において、組画像フラグは、ＧｒｏｕｐＦｌａｇとして示されている。ＧｒｏｕｐＦｌａｇは各画像が組画像に属しているか否かを表す指標（フラグ）であり、組画像に属する場合にはＧｒｏｕｐＦｌａｇに「Ｙ」が記述され、組画像に属していない場合（例えば単画像の場合）にはＧｒｏｕｐＦｌａｇに「Ｎ」が記述される。図５の場合、ファイル番号ＩＭＧ＿０００１．ＪＰＧからＩＭＧ＿０００４．ＪＰＧまでと、ＩＭＧ＿００２３．ＪＰＧとＩＭＧ＿００２４．ＪＰＧの各画像は組画像ではない単画像である。このため、それら単画像である各画像のＧｒｏｕｐＦｌａｇには「Ｎ」が記述されている。一方、ファイル番号ＩＭＧ＿０００５．ＪＰＧからＩＭＧ＿００１６．ＪＰＧまでの各画像は組画像（組画像１とする）に属し、ファイル番号ＩＭＧ＿００１７．ＪＰＧからＩＭＧ＿００２２．ＪＰＧまでの各画像は組画像（組画像２とする）に属している。したがって、これら各組画像（組画像１、組画像２）に属する各画像のＧｒｏｕｐＦｌａｇには「Ｙ」が記述されている。
【００３９】
また、図５〜図７において、代表画像情報は、ＴｏｐＩｍｇとして示されている。代表画像情報には、ＧｒｏｕｐＦｌａｇが「Ｙ」である場合に、ＴｏｐＩｍｇに続けて、その画像が属する組画像の代表画像のファイル番号が記述される。図５の例の場合、ファイル番号ＩＭＧ＿０００１．ＪＰＧ〜ＩＭＧ＿０００４．ＪＰＧ、ＩＭＧ＿００２３．ＪＰＧ、ＩＭＧ＿００２４．ＪＰＧの各画像は単画像であるため、ＴｏｐＩｍｇに代表画像のファイル番号は記述されない。一方、ファイル番号ＩＭＧ＿０００５．ＪＰＧ〜ＩＭＧ＿００１６．ＪＰＧの組画像１において、代表画像は、その組画像１のなかの例えば先頭の画像（組画像のなかで最初に記録されたファイル番号ＩＭＧ＿０００５．ＪＰＧの画像）とする。したがって、組画像１に属するファイル番号ＩＭＧ＿０００５．ＪＰＧ〜ＩＭＧ＿００１６．ＪＰＧの各画像の代表画像情報としてはＴｏｐＩｍｇ  ＩＭＧ＿０００５．ＪＰＧが記述される。同様に、ファイル番号ＩＭＧ＿００１７．ＪＰＧ〜ＩＭＧ＿００２２．ＪＰＧの組画像２において、代表画像は、その組画像２のなかの先頭のファイル番号ＩＭＧ＿００１７．ＪＰＧとする。したがって、組画像２に属するファイル番号ＩＭＧ＿００１７．ＪＰＧ〜ＩＭＧ＿００２２６．ＪＰＧの各画像の代表画像情報としてはＴｏｐＩｍｇ  ＩＭＧ＿００１７．ＪＰＧが記述される。なお、代表画像が組画像の先頭の画像である例を挙げたが、代表画像は、組画像のなかの最後の画像でもよく、或いは、組画像のうちユーザが任意に設定した画像でもよい。また、各組画像のなかの代表画像は１枚に限らず、ユーザが複数設定した場合等では複数の画像であってもよい。
【００４０】
前述のように、図５の例では、ファイル番号ＩＭＧ＿０００１．ＪＰＧ〜ＩＭＧ＿０００４．ＪＰＧの４枚の単画像の後、ファイル番号ＩＭＧ＿０００５．ＪＰＧ〜ＩＭＧ＿００１６．ＪＰＧの組画像１の１２枚の画像が並んでいる。さらに次にファイル番号ＩＭＧ＿００１７．ＪＰＧ〜ＩＭＧ＿００２２．ＪＰＧの組画像２の６枚の画像が並び、その後、ファイル番号ＩＭＧ＿００２３．ＪＰＧとＩＭＧ＿００２４．ＪＰＧの２枚の単画像が並んでいる。図５の例のように、撮影順にファイル番号が付与されている場合、これらの各画像が記録媒体１９０内に順番に記録される。なお、図５において、Ｍ＝１，Ｍ＝２，・・・，Ｍ＝２４の順番は、例えば正方向に１枚画像送りがされる場合の再生順序（画像の並び順）を示している。
【００４１】
システム制御部２５０は、Ｓ８０１において、図３のＳ３０５でのコントローラホイール１７３の操作による画像送りの方向が、前述した正方向か否かを判定する。
システム制御部２５０は、Ｓ８０１において画像送り方向が正方向であると判定した場合にはＳ８０３へ処理を進め、正方向のジャンプ画像送りを所定の順番先にセット、つまり正方向へ所定枚数（Ｎ枚）のジャンプ画像送りにセットする。一方、Ｓ８０１において画像送り方向が正方向でないと判定した場合にはＳ８０２へ処理を進め、逆方向のジャンプ画像送りを所定の順番先にセット、つまり逆方向へ所定枚数（Ｎ枚）のジャンプ画像送りにセットする。なお、所定枚数のＮ枚は、ジャンプ画像送り枚数の設定により予め指定された枚数である。Ｓ８０３又は８０２におけるジャンプ画像送りのセットの処理後、システム制御部２５０は、Ｓ８０４へ処理を進める。
【００４２】
Ｓ８０４に進むと、システム制御部２５０は、現在表示しているカレント画像が単画像や動画であるか否か、つまり、単画像や動画であるか或いは組画像であるかどうかを判定する。システム制御部２５０は、現在表示しているカレント画像やジャンプ先の画像が単画像や動画であるか、或いは組画像であるかは、各画像に付与されている属性情報を基に判定する。システム制御部２５０は、カレント画像の組画像フラグＧｒｏｕｐＦｌａｇが「Ｎ」の場合、そのカレント画像は単画像や動画であると判定してＳ８０５へ処理を進める。また、システム制御部２５０は、カレント画像のファイル番号の拡張子が動画フォーマットの拡張子である場合、そのカレント画像は動画であると判定してＳ８０５へ処理を進める。一方、システム制御部２５０は、カレント画像の組画像フラグＧｒｏｕｐＦｌａｇが「Ｙ」の場合には、組画像であると判定してＳ８１４へ処理を進める。
【００４３】
図５の例おいて、３枚ごとのジャンプ画像送りの設定がなされていて、現在表示されているカレント画像がファイル番号ＩＭＧ＿０００１．ＪＰＧの画像５０１であり、画像送りの方向が正方向に指示されたとする。図５の例の場合、ファイル番号ＩＭＧ＿０００１．ＪＰＧの画像５０１は、組画像フラグのＧｒｏｕｐＦｌａｇが「Ｎ」となされた単画像である。このため画像５０１の場合にはＳ８０４の判定はＹｅｓとなり、Ｓ８０５に処理が進められる。
組画像１の代表画像である画像５０３がカレント画像として表示されているときに、さらに正方向へのジャンプ画像送りの指示がなされたとする。ファイル番号ＩＭＧ＿０００５．ＪＰＧの画像５０３は、組画像フラグのＧｒｏｕｐＦｌａｇが「Ｙ」となされている。このため、画像５０３の場合にはＳ８０４の判定はＮｏとなり、Ｓ８１４に処理が進められる。
【００４４】
Ｓ８０５に進むと、システム制御部２５０は、現在表示中の画像からジャンプ画像送りの所定枚数（Ｎ枚）分、先（後）の画像までの間に動画が存在するか否か判定する。システム制御部２５０は、ファイル番号の拡張子が動画フォーマットの拡張子となっている動画が存在すると判定した場合にはＳ８０６へ処理を進め、一方、動画が存在しないと判定した場合にはＳ８０７へ処理を進める。
なお、Ｓ８０５の判定は、現在の表示画像から所定枚数切り替え後の画像が組画像か否かを判定してもよい。例えば、ジャンプ送り枚数が１００枚であり、１００枚後まで４〜５組ほど組画像がある場合、間にある組画像を表示すると１００枚くらい飛ばして画像を切り替えたいユーザにとっては操作手数が多いと感じる可能性がある。１００枚くらいジャンプして画像を切り替えたい場合であっても、１００枚後の画像が組画像である場合には、その画像の含まれる組画像の代表画像を表示するようにする。この場合、１００枚後の画像が組画像に含まれる画像である場合には、Ｓ８０９へ進み、そうでない場合（１００枚後の画像が組画像でない場合）には、Ｓ８０８へ進む。このようにすることで、ユーザ所望のジャンプ枚数により近い間隔で画像送りをすることができる。
【００４５】
Ｓ８０６に進むと、システム制御部２５０は、動画のサムネイル画像が予め記録等されている場合にはそのサムネイル画像を取得し、また、サムネイル画像が記録等されていない場合にはサムネイル画像を生成した後、Ｓ８１２へ処理を進める。画像の取得は、画像の再生時に生成された画像の再生リストに基づき、記録媒体１９０から取得され、メモリ制御部２１５へ展開されることにより行われる。
Ｓ８１２へ進むと、サムネイル画像が表示される。このように、本実施形態では、ジャンプ画像送りの際に、ジャンプ画像送りの所定枚数に満たなくても、動画が含まれていれば、その動画で一旦ジャンプ画像送りを停止してサムネイル画像を表示することができる。これによりユーザは動画の存在を確認できる。
【００４６】
図５の例の場合、画像５０１から正方向に３枚先までの各画像は、それぞれファイル番号の拡張子が静止画のものであり、動画の拡張子ではない。よって、画像５０１が現在表示されている画像である場合、Ｓ８０５でＮｏと判定し、Ｓ８０７に処理を進める。
Ｓ８０７に進んだ場合、システム制御部２５０は、現在表示中の画像からジャンプ画像送りの所定枚数（Ｎ枚）分、先（後）の画像までに組画像が存在するか探索する。システム制御部２５０は、所定枚数までの各画像の属性情報から、組画像フラグのＧｒｏｕｐＦｌａｇが「Ｙ」の画像が存在した場合には組画像が存在すると判定してＳ８０９へ処理を進める。一方、ＧｒｏｕｐＦｌａｇが「Ｙ」の画像が存在しない場合、システム制御部２５０は、組画像は存在しないと判定してＳ８０８へ処理を進める。
【００４７】
Ｓ８０８に進んだ場合、システム制御部２５０は、ジャンプ画像送りの所定枚数分だけジャンプした先の画像（つまりＮ枚先の単画像）を取得する。
図５の画像５０１の場合には、Ｓ８０５においてＮｏと判定され、さらにＳ８０７でもＮｏと判定されるので、画像５０１から正方向に３枚先のファイル番号ＩＭＧ＿０００４．ＪＰＧの画像５０２を、ジャンプ画像送りで表示する画像として取得する。このように、ジャンプ画像送りの際に所定枚数先までが単画像であった場合には、所定枚数分のジャンプ画像送りが行われる。画像５０１の場合、Ｓ８０８において、正方向に３枚先のファイル番号ＩＭＧ＿０００４．ＪＰＧの画像５０２が、ジャンプ画像送りで表示する画像となる。
【００４８】
単画像の画像５０２がカレント画像となされているときに、さらに正方向へのジャンプ指示がなされた場合にも前述同様に、システム制御部２５０は、ジャンプ画像送りの３枚先の画像までの間に組画像が存在するかどうかを判断する。画像５０２の場合、正方向に次のファイル番号ＩＭＧ＿０００５．ＪＰＧの画像５０３は、ＧｒｏｕｐＦｌａｇに「Ｙ」が記述され、また、代表画像情報にＴｏｐＩｍｇ  ＩＭＧ＿０００５．ＪＰＧが記述されている。この場合、システム制御部２５０は、画像５０３が組画像（図５の例では組画像１）に属し、この組画像１の代表画像がファイル番号ＩＭＧ＿０００５．ＪＰＧの当該画像５０３であることを認識する。よって、画像５０３の場合、システム制御部２５０は、Ｓ８０７においてＹｅｓと判定し、Ｓ８０９に処理を進める。
【００４９】
Ｓ８０９に進んだ場合、システム制御部２５０は、ＧｒｏｕｐＦｌａｇが「Ｙ」でＴｏｐＩｍｇのファイル番号が同一の組画像のなかで、正方向の各画像について後述するＲａｔｉｎｇが「０」より大きいお気に入り画像を探索する。そして、システム制御部２５０は、お気に入り画像が探索された場合にはＳ８１１へ処理を進める。また、システム制御部２５０は、探索の結果、切替先の組画像の中にお気に入り情報がなかったと判定した場合は、Ｓ８１０へ処理を進める。
【００５０】
図７には、属性情報としてお気に入り情報のＲａｔｉｎｇが付与されている場合の各画像の並び順の一例を示している。図７の例では、ファイル番号ＩＭＧ＿０００ｍ．ＪＰＧとして単画像が２枚続いた後、ファイル番号ＩＭＧ＿０００１．ＪＰＧ〜ＩＭＧ＿０００６．ＪＰＧの組画像１の６枚の画像が並んでいる。さらに、ファイル番号ＩＭＧ＿０００７．ＪＰＧ〜ＩＭＧ＿０００９．ＪＰＧの組画像２の３枚の画像が並んでいる。
【００５１】
Ｓ８１０に進んだ場合、システム制御部２５０は、Ｓ８０７で探索された組画像の代表画像を取得した後、Ｓ８１２へ処理を進める。カレント画像として表示されている画像５０２（単画像）の場合、次にジャンプ画像送りで表示する表示画像は、組画像１の代表画像であるファイル番号ＩＭＧ＿０００５．ＪＰＧの画像５０３となされる。
【００５２】
Ｓ８１１に進んだ場合、システム制御部２５０は、その組画像から探索されたお気に入り画像を取得した後、Ｓ８１２へ処理を進める。
図７の例において、現在表示されているカレント画像がファイル番号ＩＭＧ＿０００ｍ．ＪＰＧの画像７０１であり、画像送り方向が正方向に指示されたとする。ファイル番号ＩＭＧ＿０００ｍ．ＪＰＧの画像７０１は、組画像フラグのＧｒｏｕｐＦｌａｇが「Ｎ」の単画像であり、お気に入り情報のＲａｉｔｉｎｇは例えば「０」であるとする。また、図７の例の場合、組画像１になかにはＲａｔｉｎｇが「０」より大きい値の画像として、ファイル番号ＩＭＧ＿０００３．ＪＰＧの画像７０２やファイル番号ＩＭＧ＿０００６．ＪＰＧの画像７０３が存在している。このため、画像７０１から正方向へジャンプ送りが指示された場合、Ｓ８１１では、図７の組画像１のなかのお気に入り画像である画像７０２を取得する。なお、図７では、Ｒａｔｉｎｇの「０」の値をお気に入り画像を取得する際の閾値とした例を挙げたが、ジャンプ画像送りでお気に入り画像を表示する際のＲａｉｔｉｎｇの閾値は「０」には限定されず、ユーザが任意の値に設定することも可能である。
【００５３】
Ｓ８１２に進むと、システム制御部２５０は、Ｓ８０６、Ｓ８１０、Ｓ８１１、後述するＳ８１７〜Ｓ８１９で取得したお気に入り画像をカレント画像とし、そのカレント画像を次のＳ８１３において表示部１２８に表示させる。その後、システム制御部２５０は、図８のフローチャートの処理（図３のＳ３０８の処理）を終了して、図３のＳ３０４へ処理を戻す。
【００５４】
Ｓ８１４に進んだ場合、システム制御部２５０は、現在表示しているカレント画像がお気に入り画像、つまりＲａｔｉｎｇが「０」より大きいで画像であるか否か判定する。現在の表示画像が図７の画像７０２または画像７０３の場合、画像７０２または画像７０３はお気に入り画像なので、Ｓ８１４の判定はＹｅｓとなる。一方で、図５の画像５０３のように現在表示中の画像が組画像であったとしてもお気に入り画像でない場合には、Ｓ８１４の判定はＮｏとなる。そして、システム制御部２５０は、お気に入り画像であると判定した場合にはＳ８１５へ処理を進め、お気に入り画像でないと判定した場合にはＳ８１６へ処理を進める。
【００５５】
Ｓ８１５に進むと、システム制御部２５０は、現在の組画像（ＧｒｏｕｐＦｌａｇが「Ｙ」でＴｏｐＩｍｇのファイル番号が同一の組画像）のなかでジャンプ画像送りの方向に画像を探索し、Ｒａｔｉｎｇが「０」より大きいお気に入り画像を探索する。そして、システム制御部２５０は、Ｓ８１５において、同一の組画像のなかでお気に入り画像を探索できた場合にはＳ８１７へ処理を進め、一方、お気に入り画像を探索できなかった場合にはＳ８１６へ処理を進める。現在の表示画像が図７の画像７０２の場合、組画像１になかには、Ｒａｔｉｎｇが「０」より大きい値の画像として、ファイル番号ＩＭＧ＿０００３．ＪＰＧの画像７０２の他にファイル番号ＩＭＧ＿０００６．ＪＰＧの画像７０３が存在している。よって、Ｓ８１６の判定はＮｏとなる。一方で、現在の表示画像が画像７０３の場合には、正方向にお気に入り画像がもうないため、Ｓ８１５の判定はＮｏとなる。
【００５６】
Ｓ８１７に進むと、システム制御部２５０は、Ｓ８１５の探索で判定したお気に入り画像を取得した後、Ｓ８１２へ処理を進める。現在の表示画像が画像７０２である場合、Ｓ８１７では、組画像１のなかで次にＲａｔｉｎｇが「０」より大きい値となされているファイル番号ＩＭＧ＿０００６．ＪＰＧの画像７０３を取得する。
【００５７】
Ｓ８１６に進んだ場合、システム制御部２５０は、前述したようにジャンプ画像送りの方向への探索の結果、他の組画像と隣接しているか否かを判定する。そして、システム制御部２５０は、他の組画像が隣接していると判定した場合にはＳ８１９へ処理を進める。一方、他の組画像と隣接していない、すなわち単画像と隣接していると判定された場合にはＳ８１８へ処理を進める。
【００５８】
現在の表示画像が図５の画像５０３である場合、画像５０３が属する組画像１に対して画像送り方向（正方向）で隣接しているのは、別の組画像（組画像２）である。図５の例の場合、画像５０３のファイル番号ＩＭＧ＿０００５．ＪＰＧからファイル番号ＩＭＧ＿００１６．ＪＰＧの画像までは、組画像フラグのＧｒｏｕｐＦｌａｇが「Ｙ」であり、代表画像情報がＴｏｐＩｍｇ  ＩＭＧ＿０００５．ＪＰＧである。このため、システム制御部２５０は、それらファイル番号ＩＭＧ＿０００５．ＪＰＧからファイル番号ＩＭＧ＿００１６．ＪＰＧまでの各画像については同じ組画像１に属すると判断する。これに対し、ファイル番号ＩＭＧ＿００１７．ＪＰＧの画像５０４は、組画像フラグのＧｒｏｕｐＦｌａｇは「Ｙ」であるが、代表画像情報がＴｏｐＩｍｇ  ＩＭＧ＿００１７．ＪＰＧとなり組画像１とは異なっている。このため、この画像５０４が別の組画像（図５の例では組画像２）に属していると判断する。つまり、画像５０３が表示されている場合には、Ｓ８１６の判定はＹｅｓとなる。
【００５９】
次に、組画像２の代表画像である画像５０４がカレント画像として表示されているときに、さらに正方向へのジャンプ画像送りの指示がなされた場合について説明する。画像５０４のファイル番号ＩＭＧ＿００１７．ＪＰＧからファイル番号ＩＭＧ＿００２２．ＪＰＧの画像までは、組画像フラグのＧｒｏｕｐＦｌａｇが「Ｙ」であり、代表画像情報がＴｏｐＩｍｇ  ＩＭＧ＿００１７．ＪＰＧである。このため、それらファイル番号ＩＭＧ＿００１７．ＪＰＧからファイル番号ＩＭＧ＿００２２．ＪＰＧまでの各画像については同じ組画像２に属すると判断する。これに対し、ファイル番号ＩＭＧ＿００２３．ＪＰＧの画像５０５は、組画像フラグのＧｒｏｕｐＦｌａｇが「Ｎ」であり、単画像となっている。このため、画像５０４が表示されている場合には、Ｓ８１６の判定はＮｏとなり、Ｓ８１８に処理が進められる。
【００６０】
Ｓ８１８に進むと、システム制御部２５０は、現在表示中の画像の含まれる組画像とジャンプ画像送り方向に隣り合っている単画像を取得する。現在表示中の画像が図５の画像５０４である場合には、画像５０５を取得する。
Ｓ８１９に進んだ場合、システム制御部２５０は、現在表示中の画像に含まれる組画像とジャンプ画像送り方向に隣り合っている組画像の代表画像を取得する。現在の表示画像が図５の画像５０３の場合には、画像５０４を取得する。また、隣り合っている組画像においてお気に入り画像がある場合には、お気に入り画像を取得する。つまり、現在の表示画像が図７の画像７０３である場合、システム制御部２５０は、Ｓ８１９において画像７０４を取得する。
以上のように、ジャンプ画像送りにおいては、ジャンプ先の画像が決定される。
【００６１】
＜メニュー設定動作の説明＞
図９は、メニュー設定における画像送りの枚数設定の動作を説明するフローチャートであり、図３のＳ３１０の詳細な処理を示している。
システム制御部２５０は、Ｓ９０１において、システムメモリ２５２に書き込まれているプログラムに従ってメニュー設定変更画面を生成し、現在選択されている項目（以後カレント項目と呼称する。）をセットして表示部１２８へ表示させる。
【００６２】
次に、Ｓ９０２において、システム制御部２５０は、ユーザにより操作部群１７０の例えば上下左右の４方向ボタンのうち、上下キーの操作が行われたか否かを判定する。ここでは、カレント項目の選択が、表示部１２８の画面上で上下方向に並べられた複数の項目の何れかにカーソルを合わせて選択することにより行われるために、上下キーの操作を例に挙げている。なお、例えば複数の項目が画面上で左右方向に並べられている場合には、左右キーの操作により項目選択が行われる。画像送り枚数設定の場合、表示部１２８の画面には、一例として「１枚ごと」、「１０枚ごと」、「カスタム枚数」などの各項目が表示され、上下キー操作により、それらの何れかの項目にカーソルを合わせた上で後述する確定動作が行われる。前述の図５〜図７で説明した３枚ごとのジャンプ画像送りは、例えばカスタム枚数として３枚が設定された例である。システム制御部２５０は、Ｓ９０２において、上下キー操作が行われたと判定した場合にはＳ９０３へ処理を進め、一方、上下キー操作が行われていないと判定した場合にはＳ９０４へ処理を進める。Ｓ９０３に進むと、システム制御部２５０は、ユーザによる上下キーの操作に応じた方向へカレント項目の選択状態を移動した後、Ｓ９０４へ処理を進める。
【００６３】
Ｓ９０４に進むと、システム制御部２５０は、操作部群１７０において確定動作に割り当てられている確定キー操作（例えばセットボタンの押下操作）が行われたか否かを判定する。そして、システム制御部２５０は、確定キー操作が行われたと判定した場合にはＳ９０６へ処理を進め、確定キー操作が行われていないと判定した場合にはＳ９０５へ処理を進める。
【００６４】
Ｓ９０５に進むと、システム制御部２５０は、操作部群１７０のメニューキー操作が行われたか否かを判定し、メニューキー操作が行われたと判定した場合には図９のメニュー設定の処理を終了して図３のＳ３０４へ処理を戻す。一方、Ｓ９０５においてメニューキー操作が行われていないと判定した場合、システム制御部２５０は、Ｓ９０２へ処理を戻して、メニュー設定画面の処理を継続する。
【００６５】
Ｓ９０６の処理に進んだ場合、システム制御部２５０は、カレントのメニュー項目が画像送り枚数の設定項目か否かを判定する。システム制御部２５０は、画像送り枚数の設定項目であると判定した場合にはＳ９０６へ処理を進め、一方、画像送り枚数の設定とは別の項目であると判定した場合にはＳ９０７へ処理を進める。
【００６６】
Ｓ９０７に進むと、システム制御部２５０は、画像送り枚数の設定とは別の項目のメニュー設定処理を行う。そして、システム制御部２５０は、Ｓ９０７の設定処理後、Ｓ９０２へ処理を戻して、メニュー設定画面の処理を継続する。
【００６７】
Ｓ９０８の処理に進んだ場合、システム制御部２５０は、画像送り枚数設定画面へ遷移し、操作部群１７０の確定キー操作が行われたか否かを判定する。システム制御部２５０は、確定キー操作が行われたと判定した場合にはＳ９１２へ処理を進め、確定キー操作が行われていないと判定した場合にはＳ９０９へ処理を進める。そして、Ｓ９０９に進むと、システム制御部２５０は、操作部群１７０の上下キーが操作されたか否かを判定し、操作された場合にはＳ９１０へ処理を進め、操作されていない場合にはＳ９１１へ処理を進める。
【００６８】
Ｓ９１０に進むと、システム制御部２５０は、Ｓ９０９で上下キー操作がなされた方向へカレント項目の選択状態を移動し、その移動完了後、Ｓ７１１へ処理を進める。Ｓ７１１に進むと、システム制御部２５０は、操作部群１７０のメニューキー操作が行われたか否かを判定し、操作された場合にはＳ９０２へ処理を進めて画像送り枚数設定画面を抜ける。一方、Ｓ９１１において操作されていないと判定した場合、システム制御部２５０は、Ｓ９０８へ処理を戻し、画像送り枚数設定画面の処理を継続する。
【００６９】
Ｓ９１２に進んだ場合、システム制御部２５０は、確定キー操作による確定動作時にカーソルが合わせられている項目を判定する。Ｓ９１２において、確定動作時のカーソル一が例えば「１枚ごと」の項目に合わせられていた場合、システム制御部２５０は、Ｓ９１５へ処理を進め、画像送り枚数を「１枚ごと」に設定し、その設定情報をシステムメモリ２５２へセットする。そして、システム制御部２５０は、Ｓ９１５の後、Ｓ９０２に処理を戻す。また、Ｓ９１２において、確定動作時のカーソル一が例えば「１０枚ごと」の項目に合わせられていた場合、システム制御部２５０は、Ｓ９１４へ処理を進め、画像送り枚数を「１０枚ごと」に設定し、その設定情報をシステムメモリ２５２へセットする。そして、システム制御部２５０は、Ｓ９１４の後、Ｓ９０２に処理を戻す。また、Ｓ９１２において、確定動作時のカーソル一が例えば「カスタム枚数」の項目に合わせられていた場合、システム制御部２５０は、Ｓ９１３へ処理を進め、画像送り枚数を「カスタム枚数」に設定し、その設定情報をシステムメモリ２５２へセットする。そして、システム制御部２５０は、Ｓ９１３の後、Ｓ９１６へ処理を進める。
【００７０】
Ｓ９１６に進むと、システム制御部２５０は、ユーザによりカスタム枚数の設定が行われたかどうかを判定し、ユーザによるカスタム枚数の設定が行われない場合にはＳ９０２へ処理を戻して、メニュー設定画面の処理を継続する。一方、Ｓ９１６において、ユーザによるカスタム枚数の設定が行われた場合、システム制御部２５０は、Ｓ９１７へ処理を遷移し、所定の設定画面でユーザにより設定された１枚から１００枚までの何れの画像送り枚数を、システムメモリ２５２にセットする。このように、カスタム枚数としては、１枚から１００枚までの任意の枚数が設定可能となされている。このＳ９１７によるカスタム枚数設定の処理後、システム制御部２５０は、Ｓ９０２へ処理を戻して、メニュー設定画面の処理を継続する。
【００７１】
次に、図６を用いてジャンプ画像送りの例について説明をする。図６の例では、ファイル番号ＩＭＧ＿０００１．ＪＰＧ〜ＩＭＧ＿０００４．ＪＰＧの４枚の単画像の後、ファイル番号ＩＭＧ＿０００５．ＪＰＧ〜ＩＭＧ＿０００８．ＪＰＧの組画像１の４枚の画像が並んでいる。次にファイル番号ＩＭＧ＿０００９．ＪＰＧとＩＭＧ＿００１０．ＪＰＧの組画像２の２枚の画像が並び、次にファイル番号ＩＭＧ＿００１１．ＪＰＧ〜ＩＭＧ＿００１４．ＪＰＧの４枚の単画像が並んでいる。さらに、ファイル番号ＩＭＧ＿００１５．ＪＰＧ〜ＩＭＧ＿００２２．ＪＰＧの組画像３の８枚の画像が並び、その後、ファイル番号ＩＭＧ＿００２３．ＪＰＧとＩＭＧ＿００２４．ＪＰＧの２枚の単画像が並んでいる。
【００７２】
図６についても前述同様に、予め３枚ごとのジャンプ画像送りの設定がなされている場合を例に挙げて、デジタルカメラ１００におけるジャンプ画像送り動作制御を説明する。
図６の例おいても前述同様に、３枚ごとのジャンプ画像送りの設定がなされていて、現在表示されているカレント画像がファイル番号ＩＭＧ＿０００１．ＪＰＧの画像６０１であり、画像送り方向が正方向に指示されたとする。
【００７３】
図６の例において、ファイル番号ＩＭＧ＿０００１．ＪＰＧの画像６０１は、組画像フラグのＧｒｏｕｐＦｌａｇが「Ｎ」となされた単画像である。画像６０１から正方向に３枚先までの各画像は、それぞれＧｒｏｕｐＦｌａｇが「Ｎ」の単画像である。このため、画像６０１から正方向に３枚先のファイル番号ＩＭＧ＿０００４．ＪＰＧの画像６０２を、ジャンプ画像送りの表示画像とする。
【００７４】
次に、単画像の画像６０２がカレント画像となされているときに、さらに正方向へのジャンプ指示がなされた場合には、ジャンプ画像送りの３枚先の画像までの間に組画像が存在する。図６の例の場合、画像６０２から正方向に次のファイル番号ＩＭＧ＿０００５．ＪＰＧの画像６０３は、ＧｒｏｕｐＦｌａｇ  「Ｙ」、ＴｏｐＩｍｇ  ＩＭＧ＿０００５．ＪＰＧであり組画像１に属している。よって、単画像である画像６０２の次にジャンプ画像送りによる表示画像を、組画像１の代表画像であるファイル番号ＩＭＧ＿０００５．ＪＰＧの画像６０３とする。
【００７５】
次に、組画像１の代表画像である画像６０３がカレント画像として表示されているときに、さらに正方向へのジャンプ画像送りの指示がなされたとする。画像６０３が属する組画像１に対して画像送り方向（正方向）で隣接した別の組画像又は単画像を探索する。図６の例の場合、画像６０３のファイル番号ＩＭＧ＿０００５．ＪＰＧからファイル番号ＩＭＧ＿０００８．ＪＰＧの画像までは、組画像フラグのＧｒｏｕｐＦｌａｇが「Ｙ」で、代表画像情報がＴｏｐＩｍｇ  ＩＭＧ＿０００５．ＪＰＧである。つまり、ファイル番号ＩＭＧ＿０００５．ＪＰＧからファイル番号ＩＭＧ＿０００８．ＪＰＧまでは組画像１に属している。図６の例の場合、ファイル番号ＩＭＧ＿０００９．ＪＰＧの画像６０４は、ＧｒｏｕｐＦｌａｇが「Ｙ」であるが、代表画像情報がＴｏｐＩｍｇ  ＩＭＧ＿０００９．ＪＰＧである。よって、画像６０４が別の組画像（組画像２）に属していると判断し、組画像２の代表画像が画像６０４であることを認識する。そして画像６０３の次にジャンプ画像送りによる表示画像を、組画像１に対して正方向に隣接した組画像２の代表画像であるファイル番号ＩＭＧ＿０００９．ＪＰＧの画像６０４とする。
【００７６】
次に、組画像２の代表画像である画像６０４がカレント画像として表示されているときに、さらに正方向へのジャンプ画像送りの指示がなされた場合には画像６０５へとジャンプする。画像６０４のファイル番号ＩＭＧ＿０００９．ＪＰＧとファイル番号ＩＭＧ＿００１０．ＪＰＧの画像はＧｒｏｕｐＦｌａｇが「Ｙ」であるが、ファイル番号ＩＭＧ＿００１１．ＪＰＧの画像６０５はＧｒｏｕｐＦｌａｇが「Ｎ」である。このため、組画像２に隣接した別の組画像又は単画像として、単画像の画像６０５を探索する。そして、画像６０４の次のジャンプ画像送りによる表示画像を、組画像２に対して正方向に隣接した単画像であるファイル番号ＩＭＧ＿００１１．ＪＰＧの画像６０５とする。
【００７７】
単画像の画像６０５がカレント画像となされているときに、さらに正方向へのジャンプ指示がなされた場合、画像６０５から３枚先までの各画像はＧｒｏｕｐＦｌａｇが「Ｎ」の単画像である。このため、ファイル番号ＩＭＧ＿００１４．ＪＰＧの画像６０６をジャンプ画像送りの表示画像とする。さらに、正方向へのジャンプ指示がされると、画像６０５から画像６０６、画像６０６から画像６０７、画像６０７から画像６０８へとジャンプしていく。
【００７８】
次に、画像６０８が表示されている場合に、逆方向へのジャンプ画像送り指示が行われた場合について説明する。ジャンプ画像送り枚数Ｎ＝−３枚であるとして説明する。
逆方向へのジャンプ送り指示がされると、画像６０８から、逆方向に隣にある組画像３の代表画像６０７へと切り替わる。なお、逆方向の場合には代表画像を組画像のうち、再生順がより大きな画像を代表画像としてもよい。つまり、ＩＭＧ  ００２２の画像を表示してもよい。
【００７９】
次に画像６０７からは、単画像である画像６０６へとジャンプし、画像６０６からは画像６０５へとジャンプする。画像６０５から逆方向に３枚先には組画像１があるが、組画像１と画像６０５との間に組画像２があるので、組画像２の代表画像６０４を表示する。
画像６０４からは、逆方向において隣の組画像１の代表画像６０３を表示し、画像６０３からは画像６０２、６０１を順に表示する。
【００８０】
なお、前述の３枚ごとのジャンプ画像送りの例において、例えば画像６０１がカレント画像として表示されているときにジャンプ画像送りの指示がされた場合に、画像６０２を表示せずに画像６０３を表示するようにしてもよい。つまり、現在のカレント画像が単画像で、そのカレント画像から３枚分先までに組画像はないが、例えば５枚や６枚といったある程度近い画像分先までに組画像がある場合には、その組画像の代表画像にジャンプするようにしてもよい。このようにすることで、あと少しで組画像の画像が表示されるような場合に、素早く組画像へと表示を切り替えることができる。
【００８１】
以上、説明した実施形態によれば、ジャンプ画像送りの際のユーザの操作性を向上させることができる。大量の画像の中から所望の画像をユーザが探す場合、画像がすぐに見つからなければ操作量が多くなる。組画像は同じような画像が複数枚ある可能性が高い。よって、同じような画像が大量に含まれている場合、組画像の代表画像を表示することでユーザの操作量を減らすことができる。
単画像の次のジャンプ先までに組画像が含まれている場合、設定された枚数までジャンプすることなく、組画像の例えば代表画像をジャンプ画像送りの表示画像とする。所定枚数の枚数に関わらず、所定枚数より手前に組画像があれば、その組画像を表示する。例えば、ジャンプ枚数が１０枚であって、現在表示中の画像から５枚先に組画像があった場合には、１０枚より手前であっても５枚先の組画像を表示する。画像を探す場合、ユーザは撮影した画像を時系列順に記録している可能性が高い。また、組画像はユーザの撮影意欲がより高かった被写体である可能性が高い。よって、所定枚数より手前であっても、組画像の画像は表示することで、ユーザが所望の画像が表示された画像付近で撮影されたものなのか否かを判断しやすくなる。これにより、ユーザは所望の画像から離れた画像付近で１枚画像送りを何度も行って所望の画像を探す操作をせず、所望の画像の近くで何回か操作を行えばよいので、操作性が向上する。なお、組画像に含まれる各画像は、似た画像であることが多いため、画像を探しているユーザにとっては何枚も似たような画像が表示されるよりも、素早くさらに先の画像を表示した方が素早く所望の画像へとたどり着くことができる。
【００８２】
また、ジャンプ画像送りの際に組画像のうちお気に入り画像を表示するので、お気に入りのマークを付けた画像を認識することができる。これにより、ユーザは大量にある画像の中で、より認識している画像を確認することで、所望の画像が表示中の画像付近にあるのか、さらに先にあるのか否かを判定しやすくなる。
【００８３】
ジャンプ画像送りで組画像の表示がなされる場合、組画像であることを示す所定のアイテムを表示してもよく、このアイテム表示によりユーザに組画像を認識させることも可能である。そして、組画像がカレント画像として表示されている際に、さらにジャンプ画像送り指示がなされた場合、画像送り方向に隣接した別の組画像が探索され、その探索で見つけられた組画像が表示される。このため、隣の組画像の代表画像がジャンプ画像送りでの送り先（Ｎ枚後）よりも手前にあっても、組画像の代表画像は表示されるので、ユーザが組画像を探しているときにその画像を見逃さずに済む。組画像がカレント画像として表示されている際にジャンプ画像送り指示がなされた場合、画像送り方向に隣接した単画像が存在する場合には、その単画像を探索して表示する。例えば組画像の後に幾つかの単画像が撮影されているような場合、それら単画像は、異なる被写体や異なるアングル等で撮影された画像である可能性が高い。例えば組画像の最後の画像からジャンプ画像送りの設定枚数分ジャンプした画像を表示すると、アングルや角度を変えた１枚目の画像を見逃してしまい、未だ所望の画像がないとユーザが思ってしまう可能性がある。具体例を挙げると、例えば電車を連写した後、花を１枚撮影してその日の撮影を終了し、次の日に建物の撮影をした場合、連写された電車の画像の後に、花の画像を飛ばして建物の画像を表示してしまうと、ユーザは連写の後の花の画像に気付くことができない。しかしながら、組画像の直後の単画像を表示するようにすることで、上記のような場合であっても連写画像の直後の花の画像を表示できる。これにより、ユーザは、撮影した画像の順番をより正確に把握しやすくなり、所望の画像を探しやすくなる。
【００８４】
また、前述した例では、デジタルカメラ１００により撮影されて記録媒体１９０に記録された画像データとして、ファイル番号の拡張子が「．ＪＰＧ」の静止画像を例に挙げているが、デジタルカメラ１００で動画が撮影された場合には動画データも記録される。つまり、動画も組画像と同様に扱うことができる。そして、ジャンプ画像送りの際に動画の例えばサムネイル画像を表示することも可能となされている。上述の実施形態では、記録媒体１９０に記録されているデータのファイル番号の拡張子が動画のフォーマットを表す拡張子である場合、そのデータは動画であると認識する。そして、前述のようなジャンプ画像送りの際に動画が探索された場合には、その動画のサムネイル画像を取得又は生成して、そのサムネイル画像を表示する。
【００８５】
また、例えば、ユーザがある程度枚数を飛ばしながら所望の画像を探しているような場合に、同じ被写体を撮影したような組画像や動画に含まれる画像が繰り返し表示されることはない。つまり組画像に属する画像が３０枚で、ジャンプ画像送りの設定枚数が３枚であっても、３枚ごとのジャンプによる９枚又は１０枚といった枚数分の画像が表示されることはなく、少ない手間で組画像の次の画像へと切り替えることができる。ジャンプ画像送りの際、組画像からは代表画像やお気に入りの画像が探索されて表示され、動画からはサムネイルが表示されることで、ユーザは、多数の画像を見なくても、どのような被写体が撮影されているのかを確認できる。以上のように、重要な画像を見逃さず、高速なジャンプ画像送りを行うことが可能となる。
【００８６】
なお、前述の例では、システム制御部２５０が各フローチャートの処理や各種制御を行う例を挙げたが、それら各処理や各制御は一つのハードウェアが行ってもよいし、複数のハードウェアが処理を分担することで行われてもよい。また、前述の各処理や各制御は、ハードウェア構成だけでなく、一部がソフトウェア構成で残りがハードウェア構成により実現されてもよい。本実施形態に係るプログラムは、前述した不揮発性メモリ２５６に予め用意されていてもよく、着脱可能な半導体メモリ等から読み出されたり、不図示のインターネット等のネットワークからダウンロードされたりしてもよい。
【００８７】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した実施形態は本発明の一実施形態を示すものにすぎず、各実施形態を適宜組み合わせることも可能である。
また、上述した実施形態においては、本発明をデジタルカメラに適用した場合を例にして説明したが、本発明はこの例に限定されない。例えば、画像を表示可能な表示装置を制御可能な電子機器であれば本発明は適用可能である。また、表示装置に対して、表示する画像信号を供給可能な情報処理装置にも本発明は適用可能である。すなわち、本発明は、例えば、パーソナルコンピュータやＰＤＡ、携帯電話端末や携帯型の画像ビューワ、タブレット端末、スマートフォン、電子ゲーム機、電子ブックリーダー、デジタルフォトフレーム、投影装置などに適用可能である。その他にも、本発明は、例えば、それぞれディスプレイを備えた、プリンタ装置、音楽プレーヤー、家電装置、車載装置、医療用機器、工業用機器などにも適用可能である。
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８８】
１００，２００：デジタルカメラ、２１５：メモリ制御部、２２８：表示部、２５０：システム制御部、２５６：不揮発性メモリ、２７０：操作部群
【図１】
2019053615.tif 000003
【図２】
2019053615.tif 000004
【図３】
2019053615.tif 000005
【図４】
2019053615.tif 000006
【図５】
2019053615.tif 000007
【図６】
2019053615.tif 000008
【図７】
2019053615.tif 000009
【図８】
2019053615.tif 000010
【図９】
2019053615.tif 000011